(57)【要約】  本開示のいくつかの態様は、回線交換フォールバック（ＣＳＦＢ）ユーザエクスペリエンスを改善するための技法に関する。態様では、ユーザ機器（ＵＥ）を２Ｇ（第２世代）／３Ｇ（第３世代）ネットワークからＬＴＥ（Ｌｏｎｇ  Ｔｅｒｍ  Ｅｖｏｌｕｔｉｏｎ）ネットワークに自律的に戻すための方法およびシステムを提供する。ＵＥは、２Ｇ／３Ｇネットワーク中の現在回線交換（ＣＳ）呼がＣＳＦＢの結果であるかどうかを記録するフラグを記憶し得る。ＵＥは、２Ｇ／３Ｇネットワーク中の現在ＣＳ呼の終了を検出したことと、（たとえば、フラグのステータスから）着信呼がＣＳＦＢ呼であったと判断したこととに応答して、ＵＥをＬＴＥネットワークに自律的に戻すためのモビリティ機構をトリガし得る。
2014530566.tif 000002
【特許請求の範囲】
【請求項１】
ユーザ機器（ＵＥ）において、第１の無線アクセスネットワーク（ＲＡＮ）中の呼が終了したという指示を受信することと、
前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
を備える、ワイヤレス通信のための方法。
【請求項２】
前記１つまたは複数のアクションをとることは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
を備える、請求項１に記載の方法。
【請求項３】
前記１つまたは複数のアクションをとることが、
前記第１のＲＡＮから前記要求の肯定応答を受信すること
をさらに備え、
前記セル選択プロシージャを実行することが、前記第１のＲＡＮから前記要求の前記肯定応答を受信したことに応答して前記セル選択プロシージャを実行することを含む、請求項２に記載の方法。
【請求項４】
前記１つまたは複数のアクションをとることが、
前記第１のＲＡＮから、前記ＵＥとの前記接続が解放されたという指示を受信すること
をさらに備え、
前記セル選択プロシージャを実行することが、前記第１のＲＡＮから、前記ＵＥとの前記接続が解放されたという前記指示を受信したことに応答して前記セル選択プロシージャを実行することを含む、請求項２に記載の方法。
【請求項５】
前記１つまたは複数のアクションをとることが、
設定可能なタイマーが満了したことを判断すること
をさらに備え、
前記セル選択プロシージャを実行することが、前記設定可能なタイマーの満了に応答して前記セル選択プロシージャを実行することを含む、請求項２に記載の方法。
【請求項６】
前記設定可能なタイムは、前記ＵＥとの接続を解放するようにとの前記要求が前記第１のＲＡＮに送られたときに開始される、請求項５に記載の方法。
【請求項７】
前記第１のＲＡＮへの、前記ＵＥとの前記接続を解放するようにとの前記要求がシグナリング接続解放指示（ＳＣＲＩ）メッセージを含む、請求項２に記載の方法。
【請求項８】
前記第１のＲＡＮが、第２世代（２Ｇ）ＲＡＮまたは第３世代（３Ｇ）ＲＡＮのうちの少なくとも１つを備える、請求項１に記載の方法。
【請求項９】
前記第２のＲＡＮがＬｏｎｇ−Ｔｅｒｍ  Ｅｖｏｌｕｔｉｏｎ  ＲＡＮを備える、請求項１に記載の方法。
【請求項１０】
前記１つまたは複数のアクションをとることは、
前記第２のＲＡＮをサポートするセルを選択するためにセル選択プロシージャを実行することと、
前記ＵＥが、前記第２のＲＡＮの前記選択されたセルに接続することと
を備える、請求項１に記載の方法。
【請求項１１】
前記ＵＥが、前記第１のＲＡＮ中の前記呼をとるために前記第２のＲＡＮ中のサービスを離れたことを判断することは、回線交換フォールバックインジケータビットが前記ＵＥ上でセットされたことを判断することを含む、請求項１に記載の方法。
【請求項１２】
前記第１の無線アクセスネットワーク（ＲＡＮ）中の前記呼が終了したという前記指示が無線ベアラ解放メッセージを含む、請求項１に記載の方法。
【請求項１３】
前記呼が回線交換呼である、請求項１に記載の方法。
【請求項１４】
ＵＥにおいて、第１の無線アクセスネットワーク（ＲＡＮ）中の呼が終了したという指示を受信するための手段と、
前記ＵＥが、前記第１のＲＡＮ中の前記呼を確立するために第２のＲＡＮ中のサービスを離れたことを判断するための手段と、
前記判断に応答して、前記ＵＥが、前記第２のＲＡＮに自律的に戻るために１つまたは複数のアクションをとるための手段と
を備える、ワイヤレス通信のための装置。
【請求項１５】
前記１つまたは複数のアクションをとるための前記手段は、
前記ＵＥとの接続を解放するようにとの要求を前記第１のＲＡＮに送るための手段と、
前記第２のＲＡＮのセルを選択するためにセル選択プロシージャを実行するための手段と、
前記ＵＥが、前記第２のＲＡＮの前記選択されたセルに接続するための手段と
を備える、請求項１４に記載の装置。
【請求項１６】
前記１つまたは複数のアクションをとるための前記手段が、
前記第１のＲＡＮから前記要求の肯定応答を受信するための手段
をさらに備え、
前記セル選択プロシージャを実行するための前記手段が、前記第１のＲＡＮから前記要求の前記肯定応答を受信したことに応答して前記セル選択プロシージャを実行するための手段を含む、請求項１５に記載の装置。
【請求項１７】
前記１つまたは複数のアクションをとるための前記手段が、
前記第１のＲＡＮから、前記ＵＥとの前記接続が解放されたという指示を受信するための手段
をさらに備え、
前記セル選択プロシージャを実行するための前記手段が、前記第１のＲＡＮから、前記ＵＥとの前記接続が解放されたという前記指示を受信したことに応答して前記セル選択プロシージャを実行するための手段を含む、請求項１５に記載の装置。
【請求項１８】
前記１つまたは複数のアクションをとるための前記手段が、
設定可能なタイマーが満了したことを判断するための手段
をさらに備え、
前記セル選択プロシージャを実行するための前記手段が、前記設定可能なタイマーの満了に応答して前記セル選択プロシージャを実行するための手段を含む、請求項１５に記載の装置。
【請求項１９】
前記設定可能なタイマーは、前記ＵＥとの接続を解放するようにとの前記要求が前記第１のＲＡＮに送られたときに開始される、請求項１８に記載の装置。
【請求項２０】
前記第１のＲＡＮへの、前記ＵＥとの前記接続を解放するようにとの前記要求がシグナリング接続解放指示（ＳＣＲＩ）メッセージを含む、請求項１５に記載の装置。
【請求項２１】
前記第１のＲＡＮが、第２世代（２Ｇ）ＲＡＮまたは第３世代（３Ｇ）ＲＡＮのうちの少なくとも１つを備える、請求項１４に記載の装置。
【請求項２２】
前記第２のＲＡＮがＬｏｎｇ−Ｔｅｒｍ  Ｅｖｏｌｕｔｉｏｎ  ＲＡＮを備える、請求項１４に記載の装置。
【請求項２３】
前記１つまたは複数のアクションをとるための前記手段は、
前記第２のＲＡＮをサポートするセルを選択するためにセル選択プロシージャを実行するための手段と、
前記ＵＥが、前記第２のＲＡＮの前記選択されたセルに接続するための手段と
を備える、請求項１４に記載の装置。
【請求項２４】
前記ＵＥが、前記第１のＲＡＮ中の前記呼を確立するために前記第２のＲＡＮ中のサービスを離れたことを判断するための前記手段は、回線交換フォールバックインジケータビットが前記ＵＥ上でセットされたことを判断するための手段を含む、請求項１４に記載の装置。
【請求項２５】
前記第１の無線アクセスネットワーク（ＲＡＮ）中の前記呼が終了したという前記指示が無線ベアラ解放メッセージを含む、請求項１４に記載の装置。
【請求項２６】
前記呼が回線交換呼である、請求項１４に記載の装置。
【請求項２７】
ＵＥにおいて、第１の無線アクセスネットワーク（ＲＡＮ）中の呼が終了したという指示を受信することと、
前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
を行うように構成された少なくとも１つのプロセッサと、
前記少なくとも１つのプロセッサに結合されたメモリと
を備える、ワイヤレス通信のための装置。
【請求項２８】
前記少なくとも１つのプロセッサは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
によって前記１つまたは複数のアクションをとるように構成された、請求項２７に記載の装置。
【請求項２９】
前記少なくとも１つのプロセッサが、
前記第１のＲＡＮから前記要求の肯定応答を受信すること
によって前記１つまたは複数のアクションをとるように構成され、
前記セル選択プロシージャを実行することが、前記第１のＲＡＮから前記要求の前記肯定応答を受信したことに応答して前記セル選択プロシージャを実行することを含む、請求項２８に記載の装置。
【請求項３０】
前記少なくとも１つのプロセッサが、
前記第１のＲＡＮから、前記ＵＥとの前記接続が解放されたという指示を受信すること
によって前記１つまたは複数のアクションをとるように構成され、
前記セル選択プロシージャを実行することが、前記第１のＲＡＮから、前記ＵＥとの前記接続が解放されたという前記指示を受信したことに応答して前記セル選択プロシージャを実行することを含む、請求項２８に記載の装置。
【請求項３１】
前記少なくとも１つのプロセッサが、
設定可能なタイマーが満了したことを判断すること
によって前記１つまたは複数のアクションをとるように構成され、
前記セル選択プロシージャを実行することが、前記設定可能なタイムの満了に応答して前記セル選択プロシージャを実行することを含む、請求項２８に記載の装置。
【請求項３２】
前記設定可能なタイマーは、前記ＵＥとの接続を解放するようにとの前記要求が前記第１のＲＡＮに送られたときに開始される、請求項３１に記載の装置。
【請求項３３】
前記第１のＲＡＮへの、前記ＵＥとの前記接続を解放するようにとの前記要求がシグナリング接続解放指示（ＳＣＲＩ）メッセージを含む、請求項２８に記載の装置。
【請求項３４】
前記第１のＲＡＮが、第２世代（２Ｇ）ＲＡＮまたは第３世代（３Ｇ）ＲＡＮのうちの少なくとも１つを備える、請求項２７に記載の装置。
【請求項３５】
前記第２のＲＡＮがＬｏｎｇ−Ｔｅｒｍ  Ｅｖｏｌｕｔｉｏｎ  ＲＡＮを備える、請求項２７に記載の装置。
【請求項３６】
前記少なくとも１つのプロセッサは、
前記第２のＲＡＮをサポートするセルを選択するためにセル選択プロシージャを実行することと、
前記ＵＥが、前記第２のＲＡＮの前記選択されたセルに接続することと
によって前記１つまたは複数のアクションをとるように構成された、請求項２７に記載の装置。
【請求項３７】
前記少なくとも１つのプロセッサは、回線交換フォールバックインジケータビットが前記ＵＥ上でセットされたことを判断することによって、前記ＵＥが、前記第１のＲＡＮ中の前記呼をとるために前記第２のＲＡＮ中のサービスを離れたことを判断するように構成された、請求項２７に記載の装置。
【請求項３８】
前記第１の無線アクセスネットワーク（ＲＡＮ）中の前記呼が終了したという前記指示が無線ベアラ解放メッセージを含む、請求項２７に記載の装置。
【請求項３９】
前記呼が回線交換呼である、請求項２７に記載の装置。
【請求項４０】
ＵＥにおいて、第１の無線アクセスネットワーク（ＲＡＮ）中の呼が終了したという指示を受信することと、
前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
のためのコードを備えるコンピュータ可読媒体
を備える、ワイヤレス通信のためのコンピュータプログラム製品。
【請求項４１】
前記１つまたは複数のアクションをとることは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
を備える、請求項４０に記載のコンピュータプログラム製品。
【請求項４２】
前記１つまたは複数のアクションをとることが、
前記第１のＲＡＮから前記要求の肯定応答を受信すること
をさらに備え、
前記セル選択プロシージャを実行することが、前記第１のＲＡＮから前記要求の前記肯定応答を受信したことに応答して前記セル選択プロシージャを実行することを含む、請求項４１に記載のコンピュータプログラム製品。
【請求項４３】
前記１つまたは複数のアクションをとることが、
前記第１のＲＡＮから、前記ＵＥとの前記接続が解放されたという指示を受信すること
をさらに備え、
前記セル選択プロシージャを実行することが、前記第１のＲＡＮから、前記ＵＥとの前記接続が解放されたという前記指示を受信したことに応答して前記セル選択プロシージャを実行することを含む、請求項４１に記載のコンピュータプログラム製品。
【請求項４４】
前記１つまたは複数のアクションをとることが、
設定可能なタイマーが満了したことを判断すること
をさらに備え、
前記セル選択プロシージャを実行することが、前記設定可能なタイムの満了に応答して前記セル選択プロシージャを実行することを含む、請求項４１に記載のコンピュータプログラム製品。
【請求項４５】
前記設定可能なタイマーは、前記ＵＥとの接続を解放するようにとの前記要求が前記第１のＲＡＮに送られたときに開始される、請求項４４に記載のコンピュータプログラム製品。
【請求項４６】
前記第１のＲＡＮへの、前記ＵＥとの前記接続を解放するようにとの前記要求がシグナリング接続解放指示（ＳＣＲＩ）メッセージを含む、請求項４１に記載のコンピュータプログラム製品。
【請求項４７】
前記第１のＲＡＮが、第２世代（２Ｇ）ＲＡＮまたは第３世代（３Ｇ）ＲＡＮのうちの少なくとも１つを備える、請求項４０に記載のコンピュータプログラム製品。
【請求項４８】
前記第２のＲＡＮがＬｏｎｇ−Ｔｅｒｍ  Ｅｖｏｌｕｔｉｏｎ  ＲＡＮを備える、請求項４０に記載のコンピュータプログラム製品。
【請求項４９】
前記１つまたは複数のアクションをとることは、
前記第２のＲＡＮをサポートするセルを選択するためにセル選択プロシージャを実行することと、
前記ＵＥが、前記第２のＲＡＮの前記選択されたセルに接続することと
を備える、請求項４０に記載のコンピュータプログラム製品。
【請求項５０】
前記ＵＥが、前記第１のＲＡＮ中の前記呼を確立するために前記第２のＲＡＮ中のサービスを離れたことを判断することは、回線交換フォールバックインジケータビットが前記ＵＥ上でセットされたことを判断することを含む、請求項４０に記載のコンピュータプログラム製品。
【請求項５１】
前記第１の無線アクセスネットワーク（ＲＡＮ）中の前記呼が終了したという前記指示が無線ベアラ解放メッセージを含む、請求項４０に記載のコンピュータプログラム製品。
【請求項５２】
前記呼が回線交換呼である、請求項４０に記載のコンピュータプログラム製品。
【発明の詳細な説明】
【技術分野】
【０００１】
米国特許法第１１９条に基づく優先権の主張
[0001]  本出願は、その全体が参照により本明細書に明確に組み込まれる、２０１１年９月２１日に出願された米国仮出願第６１／５３７，４９９号の優先権を主張する。
【０００２】
[0002]  本開示の態様は、一般にワイヤレス通信に関し、より詳細には、呼フォールバック（たとえば、回線交換フォールバック（ＣＳＦＢ：circuit-switched fallback））・ユーザエクスペリエンス（user experience）を改善するための方法および装置に関する。
【背景技術】
【０００３】
[0003]  ワイヤレス通信ネットワークは、ボイス、ビデオ、パケットデータ、メッセージング、ブロードキャストなどの様々な通信コンテンツを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ユーザ機器（ＵＥ）は、異なる通信サービスをサポートし得る複数のワイヤレスネットワークのカバレージ内に位置し得る。１つまたは複数の基準に基づいて、ＵＥをサービスするための好適なワイヤレスネットワークが選択され得る。選択されたワイヤレスネットワークは、所望の通信サービス（たとえば、ボイスサービス）をＵＥに提供することができないことがある。その場合、ＵＥを、所望の通信サービスを提供することができる別のワイヤレスネットワークにリダイレクトするために、プロシージャ（procedure）のセットが実行され得る。
【発明の概要】
【０００５】
[0005]  本開示のいくつかの態様は、ワイヤレス通信のための方法を提供する。本方法は、概して、ＵＥにおいて、第１の無線アクセスネットワーク（ＲＡＮ：radio access network）中の呼が終了したという指示を受信することと、ＵＥが、第１のＲＡＮ中の呼を確立するために第２のＲＡＮ中のサービスを離れたことを判断することと、判断に応答して、ＵＥが、第２のＲＡＮに自律的に（autonomously）戻るために１つまたは複数のアクションをとることとを含む。
【０００６】
[0006]  本開示のいくつかの態様は、ワイヤレス通信のための装置を提供する。本装置は、概して、ＵＥにおいて、第１の無線アクセスネットワーク（ＲＡＮ）中の呼が終了したという指示を受信するための手段と、ＵＥが、第１のＲＡＮ中の呼を確立するために第２のＲＡＮ中のサービスを離れたことを判断するための手段と、判断に応答して、ＵＥが、第２のＲＡＮに自律的に戻るために１つまたは複数のアクションをとるための手段とを含む。
【０００７】
[0007]  本開示のいくつかの態様は、ワイヤレス通信のための装置を提供する。本装置は、概して、少なくとも１つのプロセッサと、少なくとも１つのプロセッサに結合されたメモリとを含む。少なくとも１つのプロセッサは、概して、ＵＥにおいて、第１の無線アクセスネットワーク（ＲＡＮ）中の呼が終了したという指示を受信することと、ＵＥが、第１のＲＡＮ中の呼を確立するために第２のＲＡＮ中のサービスを離れたことを判断することと、判断に応答して、ＵＥが、第２のＲＡＮに自律的に戻るために１つまたは複数のアクションをとることとを行うように構成される。
【０００８】
[0008]  本開示のいくつかの態様は、ワイヤレス通信のためのコンピュータプログラム製品を提供する。本コンピュータプログラム製品は、概して、コードを備えるコンピュータ可読媒体を含む。コードは、概して、ＵＥにおいて、第１の無線アクセスネットワーク（ＲＡＮ）中の呼が終了したという指示を受信することと、ＵＥが、第１のＲＡＮ中の呼を確立するために第２のＲＡＮ中のサービスを離れたことを判断することと、判断に応答して、ＵＥが、第２のＲＡＮに自律的に戻るために１つまたは複数のアクションをとることとを行うためのコードを含む。
【０００９】
[0009]  本開示の上述の特徴を詳細に理解することができるように、添付の図面にその一部を示す態様を参照することによって、上記で簡単に要約したより具体的な説明が得られ得る。ただし、その説明は他の等しく有効な態様に通じ得るので、添付の図面は、本開示のいくつかの典型的な態様のみを示し、したがって、本開示の範囲を限定するものと見なすべきではないことに留意されたい。
【図面の簡単な説明】
【００１０】
【図１】[0010]  本開示のいくつかの態様による、ワイヤレス通信ネットワークを示す図。
【図２】[0011]  ユーザ機器（ＵＥ）と他のネットワークエンティティとのブロック図。
【図３】[0012]  本開示のいくつかの態様による、ＵＥがモバイル発信（ＭＯ：mobile originating）呼を行うときの、回線交換フォールバック（ＣＳＦＢ）の例示的なコールフローを示す図。
【図４】[0013]  本開示のいくつかの態様による、ＵＥがモバイル終端（ＭＴ：mobile terminating）呼を受信するときの、ＣＳＦＢの例示的なコールフローを示す図。
【図５】[0014]  本開示のいくつかの態様による、２Ｇ／３Ｇネットワーク中のＣＳＦＢ呼の終了時にＵＥを２Ｇ／３ＧネットワークからＬＴＥネットワークに自律的に接続するための例示的な動作を示す図。
【図６】[0015]  本開示のいくつかの態様による、２Ｇ／３Ｇネットワーク中のＣＳＦＢ呼の終了時にＵＥを２Ｇ／３ＧネットワークからＬＴＥネットワークに自律的に接続するための例示的なシステムを示す図。
【発明を実施するための形態】
【００１１】
[0016]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１２】
[0017]  次に、様々な装置および方法に関して電気通信システムのいくつかの態様を提示する。これらの装置および方法について、以下の発明を実施するための形態において説明し、（「要素」と総称される）様々なブロック、モジュール、構成要素、回路、ステップ、プロセス、アルゴリズムなどによって添付の図面に示す。これらの要素は、電子ハードウェア、コンピュータソフトウェア、またはそれらの任意の組合せを利用して実装され得る。そのような要素をハードウェアとして実装するか、ソフトウェアとして実装するかは、特定の適用例および全体的なシステムに課された設計制約に依存する。
【００１３】
[0018]  例として、要素、または要素の任意の部分、または要素の任意の組合せは、１つまたは複数のプロセッサを含む「処理システム」を用いて実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。処理システム中の１つまたは複数のプロセッサはソフトウェアを実行し得る。ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体上に常駐し得る。コンピュータ可読媒体は非一時的コンピュータ可読媒体であり得る。非一時的コンピュータ可読媒体は、例として、磁気ストレージデバイス（たとえば、ハードディスク、フロッピー（登録商標）ディスク、磁気ストリップ）、光ディスク（たとえば、コンパクトディスク（ＣＤ）、デジタル多用途ディスク（ＤＶＤ））、スマートカード、フラッシュメモリデバイス（たとえば、カード、スティック、キードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ（登録商標））、レジスタ、リムーバブルディスク、ならびにコンピュータによってアクセスされ、読み取られ得るソフトウェアおよび／または命令を記憶するための任意の他の好適な媒体を含む。コンピュータ可読媒体は、処理システムの内部に常駐するか、処理システムの外部にあるか、または処理システムを含む複数のエンティティにわたって分散され得る。コンピュータ可読媒体はコンピュータプログラム製品において実施され得る。例として、コンピュータプログラム製品はパッケージング材料中にコンピュータ可読媒体を含み得る。当業者なら、特定の適用例および全体的なシステムに課された全体的な設計制約に応じて、本開示全体にわたって提示される記載の機能をどのようにしたら最も良く実装することができるかを認識されよう。
【００１４】
[0019]  本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど、様々なワイヤレス通信ネットワークのために利用され得る。「ネットワーク」および「システム」という用語は、しばしば互換的に利用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００などの無線技術を実装し得る。ＵＴＲＡは、広帯域ＣＤＭＡ（Ｗ−ＣＤＭＡ（登録商標））と低チップレート（ＬＣＲ：Low Chip Rate）とを含む。ＣＤＭＡ２０００は、ＩＳ−２０００、ＩＳ−９５およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。Ｌｏｎｇ  Ｔｅｒｍ  Ｅｖｏｌｕｔｉｏｎ（ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳ、およびＬＴＥは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。これらの様々な無線技術および規格は当技術分野で知られている。明快のために、本技法のいくつかの態様について以下ではＬＴＥに関して説明し、以下の説明の大部分でＬＴＥ用語を利用する。
【００１５】
[0020]  図１に、本開示の態様による、様々な装置を採用するワイヤレスネットワークアーキテクチャ１００を示す図を示す。ネットワークアーキテクチャ１００は発展型パケットシステム（ＥＰＳ：Evolved Packet System）１０１を含み得る。ＥＰＳ１００は、１つまたは複数のユーザ機器（ＵＥ）１０２と、発展型ＵＭＴＳ地上波無線アクセスネットワーク（Ｅ−ＵＴＲＡＮ：Evolved UMTS Terrestrial Radio Access Network）１０４と、発展型パケットコア（ＥＰＣ：Evolved Packet Core）１１０と、ホーム加入者サーバ（ＨＳＳ：Home Subscriber Server）１２０と、事業者のＩＰサービス１２２とを含み得る。ＥＰＳは、パケット交換コア（packet switched core）（ＰＳコア）１２８、回線交換コア（circuit switched core）（ＣＳコア）１３４など、他のアクセスネットワークと相互接続し得る。図示のように、ＥＰＳはパケット交換サービスを提供するが、当業者なら容易に諒解するように、本開示全体にわたって提示する様々な概念は、ＣＳコア１３４に関連するネットワークなど、回線交換サービスを提供するネットワークに拡張され得る。
【００１６】
[0021]  ネットワークアーキテクチャ１００はパケット交換ネットワーク１０３および／または回線交換ネットワーク１０５をさらに含み得る。一態様では、パケット交換ネットワーク１０３は、基地局１０８と、基地局コントローラ１２４と、サービングＧＰＲＳサポートノード（ＳＧＳＮ：Serving GPRS Support Node）１２６と、ＰＳコア１２８と、複合ＧＰＲＳサービスノード（ＣＧＳＮ：Combined GPRS Service Node）１３０とを含み得る。別の態様では、回線交換ネットワーク１０５は、基地局１０８と、基地局コントローラ１２４と、モバイルサービス交換センター（ＭＳＣ：Mobile services Switching Centre）と、ビジターロケーションレジスタ（ＶＬＲ：Visitor location register）１３２と、ＣＳコア１３４と、ゲートウェイモバイル交換センター（ＧＭＳＣ：Gateway Mobile Switching Centre）１３６とを含み得る。
【００１７】
[0022]  Ｅ−ＵＴＲＡＮは発展型ノードＢ（ｅＮＢ）１０６を含み得、パケット交換ネットワークおよび回線交換ネットワークなど、他のネットワークへの接続は基地局１０８を通して実現され得る。ｅＮＢ１０６は、ＵＥ１０２に対してユーザプレーンプロトコル終端と制御プレーンプロトコル終端とを与える。ｅＮＢ１０６は、Ｘ２インターフェース（たとえば、バックホール（backhaul））を介して他のｅＮＢ１０８に接続され得る。ｅＮＢ１０６は、当業者によって、基地局、送受信基地局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれることもある。ｅＮＢ１０６は、ＵＥ１０２にＥＰＣ１１０へのアクセスポイントを与える。ＵＥ１０２の例としては、セルラーフォン、スマートフォン、セッション開始プロトコル（ＳＩＰ：session initiation protocol）電話、ラップトップ、携帯情報端末（ＰＤＡ）、衛星無線、全地球測位システム、マルチメディアデバイス、ビデオデバイス、デジタルオーディオプレーヤ（たとえば、ＭＰ３プレーヤ）、カメラ、ゲーム機、または任意の他の同様の機能デバイスがある。ＵＥ１０２は、当業者によって、移動局、加入者局、モバイルユニット、加入者ユニット、ワイヤレスユニット、リモートユニット、モバイルデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。
【００１８】
[0023]  ｅＮＢ１０６はＳ１インターフェースによってＥＰＣ１１０に接続される。ＥＰＣ１１０は、モビリティ管理エンティティ（ＭＭＥ：Mobility Management Entity）１１２と、他のＭＭＥ１１４と、サービングゲートウェイ１１６と、パケットデータネットワーク（ＰＤＮ：Packet Data Network）ゲートウェイ１１８とを含む。ＭＭＥ１１２は、ＵＥ１０２とＥＰＣ１１０との間のシグナリングを処理する制御ノードである。概して、ＭＭＥ１１２はベアラおよび接続管理を行う。すべてのユーザＩＰパケットはサービングゲートウェイ１１６を通して転送され、サービングゲートウェイ１１６自体はＰＤＮゲートウェイ１１８に接続される。ＰＤＮゲートウェイ１１８はＵＥのＩＰアドレス割振りならびに他の機能を与える。ＰＤＮゲートウェイ１１８は事業者のＩＰサービス１２２に接続される。事業者のＩＰサービス１２２は、インターネットと、イントラネットと、ＩＰマルチメディアサブシステム（ＩＭＳ：IP Multimedia Subsystem）と、ＰＳストリーミングサービス（ＰＳＳ：PS Streaming Service）とを含む。
【００１９】
[0024]  本開示の一態様では、ワイヤレスシステム１００は、回線交換フォールバック（ＣＳＦＢ）を実現することが可能であり得る。一態様では、ＣＳ呼を発するために電話番号がダイヤルされたとき、ＵＥがＬＴＥネットワークにキャンプオンしていた場合、ＣＳＦＢプロシージャが採用され得る。ＣＳＦＢプロシージャは、ＵＥをＬＴＥセルから、ＵＴＲＡＮ、ＧＥＲＡＮなど、ＣＳベースのセルに移動し得、ＣＳベースのセルでは、レガシーＣＳ呼設定プロシージャを使用してＣＳ呼設定が行われ得る。「セル（cell）」という用語は、ｅＮＢまたは基地局のカバレージエリア、ならびに／あるいはこのカバレージエリアをサービスするｅＮＢまたは基地局サブシステムを指すことがある。本明細書で使用するＣＳＦＢは、ボイス呼、ショートメッセージサービス（ＳＭＳ）などのサービスを可能にするために、回線交換ＭＳＣ１３２とＬＴＥコアネットワーク１０１との間にシグナリングチャネルを確立することを指すことがある。一実装形態では、ＵＥ１０２がＬＴＥネットワーク１０１から、ＣＳベースのネットワーク１０３（ＵＴＲＡＮ）、パケット交換（ＰＳ）ネットワーク１０３など、３ＧＰＰネットワークに移動されたとき、ＵＥは、３ＧＰＰネットワークを介してユーザデータを通信することが可能になるより前に、１つまたは複数の登録プロシージャ（registration procedure）を実行し得る。
【００２０】
[0025]  本開示の一態様では、説明は、ＵＴＲＡＮシステムの使用による例を与え得るが、ＧＥＲＡＮなど、他のＲＡＴが使用され得ることを諒解されたい。
【００２１】
[0026]  概して、任意の数のワイヤレスネットワークが所与の地理的エリア中に展開され得る。各ワイヤレスネットワークは、特定のＲＡＴをサポートし得、１つまたは複数の周波数上で動作し得る。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間での干渉を回避するために、所与の地理的エリア中の単一のＲＡＴをサポートし得る。
【００２２】
[0027]  一態様では、電源投入時に、ＵＥ１０２は、通信サービスを受信することができるワイヤレスネットワークを探索し得る。２つ以上のワイヤレスネットワークが検出された場合、ＵＥ１０２をサービスするために、最高優先順位をもつワイヤレスネットワークが選択され得、サービングネットワークと呼ばれることがある。ＵＥ１０２は、必要な場合、サービングネットワークへの登録を実行し得る。ＵＥ１０２は、次いで、サービングネットワークとアクティブ通信するために接続モードで動作し得る。代替的に、ＵＥ１０２は、アクティブ通信がＵＥ１０２によって必要とされない場合、アイドルモードで動作し、サービングネットワークにキャンプオンし得る。
【００２３】
[0028]  ＵＥ１０２は、アイドルモードにある間、複数の周波数および／または複数のＲＡＴのセルのカバレージ内に位置し得る。ＬＴＥでは、ＵＥ１０２は、優先順位リストに基づいてキャンプオンするために周波数とＲＡＴとを選択し得る。この優先順位リストは、周波数のセットと、各周波数に関連するＲＡＴと、各周波数の優先順位とを含み得る。たとえば、優先順位リストは、３つの周波数Ｘ、ＹおよびＺを含み得る。周波数Ｘは、ＬＴＥのために使用され得、最高優先順位を有し得、周波数Ｙは、ＧＳＭのために使用され得、最低優先順位を有し得、周波数Ｚも、ＧＳＭのために使用され得、中間優先順位を有し得る。概して、優先順位リストは、ＲＡＴの任意のセットのための任意の数の周波数を含み得、ＵＥロケーションに固有であり得る。ＵＥ１０２は、たとえば、上記の例によって与えられたように、ＬＴＥ周波数が最高優先順位にあり、他のＲＡＴのための周波数がより低い優先順位にある優先順位リストを定義することによって、利用可能なときに、ＬＴＥを選好するように構成され得る。
【００２４】
[0029]  ＵＥ１０２は、次のようにアイドルモードで動作し得る。ＵＥ１０２は、標準シナリオにおいて「好適な」セルを見つけることが可能であるか、または緊急シナリオにおいて「許容できる」セルを見つけることが可能であるすべての周波数／ＲＡＴを識別し得、ただし、「好適である」および「許容できる」は、ＬＴＥ規格において指定されている。ＵＥ１０２は、次いで、すべての識別された周波数／ＲＡＴの中で最高優先順位をもつ周波数／ＲＡＴにキャンプオンし得る。ＵＥ１０２は、（ｉ）周波数／ＲＡＴが所定のしきい値においてもはや利用可能でないか、または（ｉｉ）より高い優先順位をもつ別の周波数／ＲＡＴがこのしきい値に達するかのいずれかまで、この周波数／ＲＡＴにキャンプオンしたままであり得る。アイドルモードにあるＵＥ１０２のためのこの動作挙動は、公開されている「Evolved Universal Terrestrial Radio Access (E-UTRA); User Equipment (UE) procedures in idle mode」と題する３ＧＰＰ  ＴＳ３６．３０４に記載されている。
【００２５】
[0030]  図２に、図１のＵＥ１０２、ｅＮＢ１０６、およびＭＭＥ１１２の設計のブロック図を示す。ＵＥ１０２において、エンコーダ２１２は、アップリンク上で送られるべきトラフィックデータとシグナリングメッセージとを受信し得る。エンコーダ２１２は、トラフィックデータとシグナリングメッセージとを処理（たとえば、フォーマット、符号化、およびインターリーブ）し得る。変調器（Ｍｏｄ）２１４は、符号化されたトラフィックデータとシグナリングメッセージとをさらに処理（たとえば、シンボルマッピングおよび変調）し、出力サンプルを与え得る。送信機（ＴＭＴＲ）２２２は、出力サンプルを調整（たとえば、アナログ変換、フィルタ処理、増幅、および周波数アップコンバート）し、アップリンク信号を生成し、アップリンク信号はアンテナ２２４を介してｅＮＢ１０６に送信され得る。
【００２６】
[0031]  ダウンリンク上で、アンテナ２２４は、ｅＮＢ１０６および／または他のｅＮＢ／基地局によって送信されたダウンリンク信号を受信し得る。受信機（ＲＣＶＲ）２２６は、アンテナ２２４からの受信信号を調整（たとえば、フィルタ処理、増幅、周波数ダウンコンバート、およびデジタル化）し、入力サンプルを与え得る。復調器（Ｄｅｍｏｄ）２１６は、入力サンプルを処理（たとえば、復調）し、シンボル推定値を与え得る。デコーダ２１８は、シンボル推定値を処理（たとえば、デインターリーブおよび復号）し、ＵＥ１０２に送られる復号されたデータおよびシグナリングメッセージを与え得る。エンコーダ２１２、変調器２１４、復調器２１６、およびデコーダ２１８はモデムプロセッサ２１０によって実装され得る。これらのユニットは、ＵＥ１０２が通信中であるワイヤレスネットワークによって使用されるＲＡＴ（たとえば、ＬＴＥ、１ｘＲＴＴなど）に従って処理を実行し得る。
【００２７】
[0032]  コントローラ／プロセッサ２３０は、ＵＥ１０２において動作を指示し得る。コントローラ／プロセッサ２３０はまた、本明細書で説明する技法の他のプロセスを実行または指示し得る。コントローラ／プロセッサ２３０はまた、図３および図４のＵＥ１０２による処理を実行または指示し得る。メモリ２３２は、ＵＥ１０２のプログラムコードおよびデータを記憶し得る。メモリ２３２はまた、優先順位リストと構成情報とを記憶し得る。
【００２８】
[0033]  ｅＮＢ１０６において、送信機／受信機２３８は、ＵＥ１０２および他のＵＥとの無線通信をサポートし得る。コントローラ／プロセッサ２４０は、ＵＥとの通信のための様々な機能を実行し得る。アップリンク上では、ＵＥ１０２からのアップリンク信号が、アンテナ２３６を介して受信され、受信機２３８によって調整され、さらにコントローラ／プロセッサ２４０によって処理されて、ＵＥ１０２によって送られたトラフィックデータおよびシグナリングメッセージが復元され得る。ダウンリンク上では、トラフィックデータおよびシグナリングメッセージが、コントローラ／プロセッサ２４０によって処理され、送信機２３８によって調整されて、ダウンリンク信号が生成され、ダウンリンク信号はアンテナ２３６を介してＵＥ１０２および他のＵＥに送信され得る。コントローラ／プロセッサ２４０はまた、本明細書で説明する技法の他のプロセスを実行または指示し得る。コントローラ／プロセッサ２４０はまた、図３および図４のｅＮＢ１０６による処理を実行または指示し得る。メモリ２４２は、基地局のプログラムコードおよびデータを記憶し得る。通信（Ｃｏｍｍ）ユニット２４４は、ＭＭＥ１１２および／または他のネットワークエンティティとの通信をサポートし得る。
【００２９】
[0034]  ＭＭＥ１１２において、コントローラ／プロセッサ２５０は、ＵＥの通信サービスをサポートするための様々な機能を実行し得る。コントローラ／プロセッサ２５０はまた、図３および図４のＭＭＥ１１２による処理を実行または指示し得る。メモリ２５２は、ＭＭＥ１１２のプログラムコードおよびデータを記憶し得る。通信ユニット２５４は、他のネットワークエンティティとの通信をサポートし得る。
【００３０】
[0035]  図２は、ＵＥ１０２、ｅＮＢ１０６、およびＭＭＥ１１２の簡略化された設計を示している。概して、各エンティティは、任意の数の送信機、受信機、プロセッサ、コントローラ、メモリ、通信ユニットなどを含み得る。他のネットワークエンティティも同様の方法で実装され得る。
【００３１】
[0036]  図３に、本開示のいくつかの態様による、ＵＥ１０２がモバイル発信（ＭＯ：mobile originating）呼を行うときの、ＣＳＦＢの例示的なコールフローを示す。ＵＥ１０２が、ボイスサービスをサポートし得ないＬＴＥネットワーク（ｅＮＢ１０６）にキャンプオンしている間、ＵＥ１０２は、ＭＯ呼を行うためにＭＳＣ１３２に接続されたＧＳＭ／ＵＭＴＳネットワークにフォールバックする必要があり得る。呼設定プロシージャは３０２において開始し、ＵＥ１０２は、ＭＭＥ１１２に非アクセス層（ＮＡＳ：non access stratum）拡張サービス要求（ＥＳＲ：extended service request）を送る。ＥＳＲは、ＣＳＦＢを実行することをＭＭＥ１１２に通知するＣＳＦＢインジケータを備え得る。ＥＳＲに応答して、ＭＭＥ１１２は、ＵＥ１０２がＧＳＭ／ＵＭＴＳネットワークに移動されるべきであることをｅＮＢ１０６に示し得る。
【００３２】
[0037]  ３０４において、ｅＮＢ１０６は、リダイレクションプロシージャが実行され得るＣＳ  ＲＡＴ候補を判断するためにＵＥ１０２から測定報告を受信する。３０６において、ＬＴＥネットワークは、モビリティプロシージャ（たとえば、再選択、リダイレクション、ハンドオーバ、またはネットワーク支援セル変更（ＮＡＣＣ：network assisted cell change））においてＵＥ１０２を支援する。たとえば、ＭＳＣ１３２とＭＭＥ１１２との間のインターフェースがダウンしている場合、ＬＴＥネットワークは、セット時間期間後に呼設定を再試行することをＵＥ１０２に通知し得る。いくつかの実施形態の場合、ｅＮＢ１０６は、ＵＥ１０２にＲＲＣメッセージを送ることによって、ＧＳＭセルへのＮＡＣＣを用いてＲＡＴ間セル変更命令をトリガし得る。ＲＡＴ間セル変更命令は、ＣＳＦＢ要求によりそのセル変更命令がトリガされることをＵＥ１０２に示すＣＳＦＢインジケータを含んでいることがある。
【００３３】
[0038]  ３０８において、ＵＥ１０２は、たとえば、ＮＡＣＣ情報を使用して、新しいＧＳＭセルに移動し、無線シグナリング接続を確立する。３１０において、ＵＥはＣＳ  ＭＯ呼を開始する。
【００３４】
[0039]  図４に、本開示のいくつかの態様による、ＵＥ１０２がモバイル終端（ＭＴ）呼を受信するときの、ＣＳＦＢの例示的なコールフローを示す。動作は、図３で説明した動作と同様であり得るが、ＵＥ１０２は、４０２（たとえば、ＣＳサービス通知）において、ＧＳＭ／ＵＭＴＳページを受信した後に呼設定プロシージャを開始する。たとえば、ＭＳＣ１３２は、着信ボイス呼を受信し、ＭＭＥ１１２にページング要求を送ることによって応答し得る。ｅＮＢ１０６は、ページングメッセージをＵＥ１０２にフォワーディングし得る。４０４において、ＵＥ１０２が、ＧＳＭ／ＵＭＴＳセルをサービスするＭＳＣ１３２に登録されると、ＭＳＣ１３２はＣＳ  ＭＴ呼を確立する。
【００３５】
回線交換フォールバックユーザエクスペリエンスを改善するシステムおよび方法
[0040]  いくつかの態様では、いくつかの現在のＬＴＥまたは４Ｇ（第４世代）ネットワークは、ＬＴＥネットワークにキャンプオンしたＵＥのためのボイスソリューションのサポートがない純粋なＩＰネットワークである。当業界には、ＬＴＥおよび２Ｇ／３Ｇ対応であり、時間の大部分をＬＴＥネットワーク上で過ごすデバイス上でボイスサービスを実現することへの関心がある。ＣＳＦＢ（回線交換フォールバック）は、そのようなマルチ無線アクセス技術（ＲＡＴ：radio access technology）対応ＵＥが、ＬＴＥネットワークにキャンプオンしている間にボイス呼を行うことを可能にする。いくつかの態様では、ＣＳＦＢがサポートされるとき、ＬＴＥネットワークにキャンプオンしており、ＬＴＥネットワークによってサポートされないボイス呼を行うことを望んでいるＵＥは、ボイス呼をサービスするための２Ｇ／３Ｇネットワークに移される。
【００３６】
[0041]  いくつかの態様では、ＬＴＥネットワークにキャンプオンしたＵＥが、それがボイス呼を行う必要があると判断したとき、ＵＥはＬＴＥネットワークに拡張サービス要求を送る。拡張サービス要求は、ＵＥがボイス呼を行うことを望んでいることをＬＴＥネットワークに通知する。ＬＴＥネットワークが拡張サービス要求を受信すると、ＬＴＥネットワークは、ＵＥを２Ｇ／３Ｇネットワークに移動するために、たとえば、再選択、リダイレクション、ハンドオーバなどを含むモビリティプロシージャを実装し得る。ＬＴＥネットワークはＬＴＥネットワーク内のＵＥのコンテキストを記憶し得、ＵＥがボイス呼をサービスするために２Ｇ／３Ｇネットワークに移されると、ＬＴＥネットワークは、ＵＥに到達しようと試みることに時間またはリソースを浪費しないことがある。
【００３７】
[0042]  いくつかの態様では、２Ｇ／３Ｇネットワーク中の回線交換（ＣＳ）呼が終了し、パケット交換（ＰＳ）またはデータアクティビティがそれ以上なくなると、事業者は、ＵＥが、ＬＴＥネットワークによって与えられるより高いデータレートを利用するためにＬＴＥにキャンプオンすることを選好し得る。一態様では、ＣＳＦＢ呼の終了の後にＵＥをＬＴＥネットワークにプッシュするための規格ベースの機構は、一般に、セル再選択と、セルリダイレクションと、パケット交換ハンドオーバ（ＰＳＨＯ：packet switched handover）とを含む。
【００３８】
[0043]  いくつかの態様では、セル再選択は、ＵＥが２Ｇ／３Ｇネットワーク中でのＩＤＬＥモードからＬＴＥネットワーク中でのＩＤＬＥモードに移ることを可能にする。したがって、セル再選択では、ＵＥは、２Ｇ／３Ｇネットワーク上でＩＤＬＥモードに戻り、ＬＴＥネットワークを選択し、次いで、選択されたＬＴＥネットワークに移らなければならない。事業者は、ＵＥができる限り早く２Ｇ／３ＧからＬＴＥに移ることが助長されるような方法で、（たとえば、ＵＥのネイバーセルリスト中の）セル再選択優先順位を微調整し得る。ただし、再選択機構が作動するためには、ＵＥはＩＤＬＥモードになければならない。したがって、ＣＳ呼が終了したとき、ＵＥがパケットデータアクティビティに関与している場合、ネットワークは、データ接続をティアダウン（tear down）せず、ＵＥをＩＤＬＥモードに戻さないことがあり、再選択プロシージャは使用されないことがある。
【００３９】
[0044]  いくつかの態様では、ＵＥがＣＳ呼の終了時にＰＳアクティビティを有する場合、ＵＥをＬＴＥに移すためにセルリダイレクションプロシージャが使用され得る。２Ｇ／３Ｇネットワーク中のネットワークエンティティは、ＵＥに、ＬＴＥネットワーク上のあるチャネルに遷移し、ＬＴＥネットワーク中でそれのデータアクティビティを再開するように命令するリダイレクションメッセージをＵＥに送り得る。セルリダイレクション機構は、ＵＥが２Ｇ／３Ｇネットワーク中での接続モードからＬＴＥネットワーク中でのＩＤＬＥモードに移ることを可能にする。
【００４０】
[0045]  いくつかの態様では、ＰＳＨＯ機構は、２Ｇ／３Ｇネットワークが、ＵＥのためにＬＴＥネットワーク上のリソースを予約し、次いで、予約済みリソースを使用して接続モードでＵＥをＬＴＥネットワークにプッシュすることを含む。したがって、ＵＥは、移るときに進行していた可能性があるデータアクティビティに対する最小量のグリッチ（glitch）を経験し得る。したがって、ＰＳＨＯ方法は、ＵＥが２Ｇ／３Ｇネットワーク中での接続モードからＬＴＥネットワーク中での接続モードに移ることを可能にする。
【００４１】
[0046]  いくつかの態様では、ＵＥが、たとえば、ＵＴＲＡＮ／ＧＥＲＡＮへのＣＳＦＢの後にＬＴＥに戻るための規格ベースの無線アクセス技術（ＲＡＴ：radio access technology）間モビリティ機構が存在するが、以下の理由により、規格ベースの機構のみでは十分でない可能性がある。
【００４２】
ａ）  それらはサポートされない。たとえば、いくつかの事業者は、２Ｇ／３ＧからＬＴＥへの再選択／リダイレクション／ＰＳＨＯをサポートしない。
【００４３】
ｂ）  それらは望ましくない。再選択しきい値およびヒステリシス時間は、再選択を遅延させるような控えめな方法でセットされ得る。事業者は、データカードのためのルールとは異なるＣＳＦＢのためのルールを適用することを望み得る。
【００４４】
ｃ）  それらは決して始動しない。ユーザデータアクティビティは、ＵＥが２Ｇ／３Ｇから４Ｇ  ＬＴＥに再選択することを妨げ得る。
【００４５】
[0047]  いくつかの態様では、いくつかのネットワーク事業者は、セルリダイレクションとＰＳＨＯとをサポートしないことがあり、ＵＥをＬＴＥに移すためにセル再選択プロシージャのみを実装し得る。しかし、上述したように、ＵＥが、２Ｇ／３Ｇネットワーク中で継続するＰＳアクティビティを有するか、または接続状態とＩＤＬＥ状態との間を頻繁に切り替える場合、再選択プロシージャは作動しないことがあり、ＵＥはＬＴＥに戻ることが可能でないことがある。
【００４６】
[0048]  したがって、１つまたは複数の理由により、これらの３つのモビリティ機構が好適でない場合があり得、ＵＥは、ＣＳ呼が終了したことを判断し、できる限り早くＬＴＥに自律的に移動することが必要になり得る。
【００４７】
[0049]  いくつかの態様では、ＵＥは、２Ｇ／３Ｇネットワーク中の現在呼がＣＳＦＢの結果であることの記録をとる。ＵＥは、フラグを維持する（たとえば、ＣＳＦＢインジケータビットを記憶する）ことによって、これを思い出し得る。たとえば、ＵＥは、呼がＣＳＦＢ呼である場合、フラグを１にセットし得、呼がＣＳＦＢ呼でない場合、フラグを０にリセットし得る。ＵＥは、ＣＳ無線アクセスベアラ（ＲＡＢ：Radio Access Bearer）のネットワーク解放を検出することによってＣＳ呼の終了を検出し得る。これは、ＵＥがネットワークからの無線ベアラ解放メッセージを検出することを含み得る。
【００４８】
[0050]  いくつかの態様では、ＵＥがＣＳ  ＲＡＢのネットワーク解放を検出すると、ＵＥは、ちょうど解放された呼がＣＳＦＢ呼であったかどうかを判断するために（たとえば、フラグを）検査する。解放された呼がＣＳＦＢ呼であったという判断を伴うＣＳ  ＲＡＢ解放の検出は、ＵＥをＬＴＥに戻すためのモビリティ機構をトリガし得る。モビリティ機構は、ＵＥがＰＳドメインのためのシグナリング接続解放指示（ＳＣＲＩ：Signaling Connection Release Indication）メッセージを送ることで開始し得る。ＳＣＲＩは、一般に、ＵＥのアプリケーションレイヤからトリガされ、ＵＥが、進行中のＰＳデータアクティビティを有しないことを示し、ネットワークに現在シグナリング接続を解放することを要求する。ＵＥがＳＣＲＩメッセージを送ると、モビリティ機構は複数の経路をとり得る。
【００４９】
[0051]  第１の態様では、ＵＥは、ネットワークが接続を解放したかどうかがわかるのを待たずに、ＳＣＲＩメッセージを送った直後に３Ｇネットワークを離れ得る。
【００５０】
[0052]  第２の態様では、ＵＥは、下位（Ｌ２）レイヤから、ＳＣＲＩメッセージがネットワークによって正常に受信されたことを保証する肯定応答ＡＣＫを受信するのを待ち得る。ＵＥがＡＣＫを受信すると、ＵＥはＬＴＥサービスを求めてネットワークを離れ得る。
【００５１】
[0053]  第３の態様では、ＵＥは、ＬＴＥサービスを求めてネットワークを離れる前に、ネットワークが接続を解放したという指示を待ち得る。これは、ＵＥがネットワークからネットワーク接続解放メッセージ（たとえば、ＲＲＣ接続解放）を受信するのを待つことを含み得る。
【００５２】
[0054]  第４の態様では、ＵＥは、ＬＴＥサービスを求めてネットワークを離れる前に、ある時間期間の間のみ、ＡＣＫおよび／または接続解放が到着するのを待ち得る。たとえば、ＵＥは、それがＳＣＲＩメッセージを送るとき、設定可能なタイマー（configurable timer）を開始し、タイマーが満了する前にＵＥがＡＣＫおよび／または接続解放を受信しない場合、ネットワークを離れ得る。
【００５３】
[0055]  いくつかの態様では、ＵＥがＬＴＥサービスを求めて２Ｇ／３Ｇネットワークを離れることを決定すると、ＵＥは、ＬＴＥサービスを探すためにセル選択プロシージャを開始し得る。一態様では、ＵＥは、ＵＥがＬＴＥサービスを見つける確率を最大にすることを可能にする情報を記憶する。たとえば、ＵＥは、ＣＳＦＢ呼が行われる前にＵＥが使用したＬＴＥチャネルに関する情報を記憶し得、同じＬＴＥチャネルの利用可能性を探ることによってセル選択を開始し得る。いくつかの実施形態では、ＵＥは、（たとえば、２Ｇ／３Ｇネットワークから受信した）ネイバーリストを記憶し得る。セル選択プロシージャは、そのようなネイバーリストに基づき得る。
【００５４】
[0056]  いくつかの態様では、上記で説明したモビリティプロシージャは、ＵＥが、モビリティプロシージャをサポートするいくつかのＰＬＭＮ（パブリックランドモバイルネットワーク）中にあるときのみ実装され得る。ＵＥはＰＬＭＮのリストを維持し得、モビリティプロシージャは、サービングＰＬＭＮがＵＥのリスト中にある場合のみ実行され得る。
【００５５】
[0057]  図５に、本開示のいくつかの態様による、２Ｇ／３Ｇネットワーク中のＣＳＦＢ呼の終了時にＵＥを２Ｇ／３ＧネットワークからＬＴＥネットワークに自律的に接続するための例示的な動作５００を示す。
【００５６】
[0058]  動作５００は、５０２において、ＵＥにおいて、第１の無線アクセスネットワーク（ＲＡＮ）中の呼が終了したという指示を受信することによって開始する。５０４において、ＵＥが、第１のＲＡＮ中の呼を確立するために第２のＲＡＮ中のサービスを離れたことを判断する。５０６において、判断に応答して、ＵＥは、第２のＲＡＮに自律的に戻るために１つまたは複数のアクションをとる。
【００５７】
[0059]  図６に、本開示のいくつかの態様による、２Ｇ／３Ｇネットワーク中のＣＳＦＢ呼の終了時にＵＥを２Ｇ／３ＧネットワークからＬＴＥネットワークに自律的に接続するための例示的なシステム６００を示す。
【００５８】
[0060]  システム６００は、ＬＴＥ  ｅＮＢ１０６、２Ｇ／３Ｇ基地局（ＢＳ）１０８、およびＬＴＥ  ｅＮＢ１０６と２Ｇ／３Ｇ  ＢＳ１０８の両方と通信することが可能なＵＥ１０２を含み得る。ｅＮＢ１０６はＬＴＥ  ＲＡＮにサービスを提供し得、ＢＳ１０８は２Ｇ／３Ｇ  ＲＡＮにサービスを提供し得る。ＵＥ１０２は、ＬＴＥと２Ｇ／３Ｇ  ＲＡＮの両方の重複サービスエリアに位置し得る。
【００５９】
[0061]  ＵＥ１０２は、トランシーバ６１０と、呼解放検出器６０２と、ＣＳＦＢ呼判断器６０４と、モビリティ管理ユニット６０８とを含み得る。いくつかの態様では、トランシーバ６１０はＢＳ１０８から無線ベアラ解放メッセージを受信し得、呼解放検出器６０２は、受信したメッセージから２Ｇ／３ＧネットワークによるＣＳ  ＲＡＢの解放を検出することによってＣＳ呼の終了を検出し得る。
【００６０】
[0062]  ＵＥ１０２がＣＳ  ＲＡＢのネットワーク解放を検出すると、ＣＳＦＢ呼判断器６０４は、ＣＳＦＢフラグ６０６のステータスを検査することによって、ちょうど解放された呼がＣＳＦＢ呼であったかどうかを判断し得る。たとえば、ＣＳＦＢフラグが１にセットされた場合、ＣＳＦＢ呼判断器６０４は、呼がＣＳＦＢ呼であったと判断し得る。一方、ＣＳＦＢフラグが０にリセットされた場合、ＣＳＦＢ呼判断器６０４は、呼がＣＳＦＢ呼でなかったと判断し得る。
【００６１】
[0063]  モビリティ管理ユニット６０８は、ＣＳ呼の解放と、解放された呼がＣＳＦＢ呼であったか否かとに応答して、ＵＥ１０２をＬＴＥ  ＲＡＮに戻すための１つまたは複数のＵＥモビリティ機構を実装し得る。たとえば、モビリティ管理ユニット６０８は、ＣＳ呼解放が呼解放検出器６０２によって検出されたとき、ＣＳＦＢ呼判断器６０４が、解放されたＣＳ呼がＣＳＦＢ呼であったと判断した場合、モビリティ機構をトリガし得る。上記で説明したように、モビリティ機構は、ＵＥ１０２が、２Ｇ／３Ｇネットワークに現在シグナリング接続を解放することを要求するＳＣＲＩメッセージをＢＳ１０８に送ることを含み得る。モビリティ機構は、ＬＴＥサービスを探すためのセル選択プロシージャをさらに含み得る。ＵＥは、セル選択プロシージャの結果としてｅＮＢ１０６との接続を確立し得る。
【００６２】
[0064]  本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、限定はしないが、プロセッサ上で実行されるプロセス、プロセッサ、オブジェクト、実行ファイル、実行スレッド、プログラム、および／またはコンピュータであり得る。例として、コンピューティングデバイス上で実行されるアプリケーションと、そのコンピューティングデバイスの両方が構成要素であり得る。１つまたは複数の構成要素がプロセスおよび／または実行スレッド内に常駐し得、１つの構成要素が１つのコンピュータ上に配置され得、および／または２つ以上のコンピュータ間に分散され得る。さらに、これらの構成要素は、様々なデータ構造を記憶している様々なコンピュータ可読媒体から実行し得る。これらの構成要素は、信号を介して、ローカルシステム、分散システム内の別の構成要素と相互作用し、および／またはインターネットなどのネットワーク上で他のシステムと相互作用する１つの構成要素からのデータのような、１つまたは複数のデータパケットを有する信号に従うことなどによって、ローカルプロセスおよび／またはリモートプロセスを介して通信し得る。
【００６３】
[0065]  さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、または何らかの他の用語で呼ばれることもある。
【００６４】
[0066]  さらに、「または」という用語は、排他的な「または」ではなく、包括的な「または」を意味するものとする。すなわち、別段に規定されていない限り、または文脈から明らかでない限り、「ＸはＡまたはＢを採用する」という句は、自然包括的並べ替えのいずれかを意味するものとする。すなわち、「ＸはＡまたはＢを採用する」という句は、ＸがＡを採用する場合、ＸがＢを採用する場合、またはＸがＡとＢの両方を採用する場合のいずれによっても満たされる。さらに、本出願および添付の特許請求の範囲で使用する冠詞「ａ」および「ａｎ」は、別段に規定されていない限り、または単数形を示すことが文脈から明らかでない限り、概して「１つまたは複数」を意味するものと解釈すべきである。
【００６５】
[0067]  本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００６６】
[0068]  様々な態様または特徴は、いくつかのデバイス、構成要素、モジュールなどを含み得るシステムに関して提示されることを理解し、諒解されたい。また、様々なシステムは、追加のデバイス、構成要素、モジュールなどを含み得、および／または各図に関連して論じるデバイス、構成要素、モジュールなどのすべてを含むとは限らないことを理解し、諒解されたい。これらの手法の組合せも使用され得る。
【００６７】
[0069]  本明細書で開示した態様に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。さらに、少なくとも１つのプロセッサは、上記で説明したステップおよび／またはアクションのうちの１つまたは複数を実行するように動作可能な１つまたは複数のモジュールを備え得る。
【００６８】
[0070]  さらに、本明細書で開示した態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込み得るようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【００６９】
[0071]  １つまたは複数の態様では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶され得るか、あるいはコンピュータ可読媒体上で送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備え得る。また、いかなる接続もコンピュータ可読媒体と呼ばれ得る。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピーディスク（disk）およびｂｌｕ−ｒａｙ（登録商標）ディスク（disc）を含み、ディスク（disk）は、通常、データを磁気的に再生し、ディスク（disc）は、通常、データをレーザーで光学的に再生する。上記の組合せもコンピュータ可読媒体の範囲内に含まれるべきである。
【００７０】
[0072]  本明細書で使用する、項目のリスト「のうちの少なくとも１つ」を指す句は、単一のメンバーを含む、それらの項目の任意の組合せを指す。一例として、「ａ、ｂ、またはｃのうちの少なくとも１つ」は、ａ、ｂ、ｃ、ａ−ｂ、ａ−ｃ、ｂ−ｃ、およびａ−ｂ−ｃを包含するものとする。
【００７１】
[0073]  上記の開示は、例示的な態様および／または態様について論じたが、添付の特許請求の範囲によって定義される説明した態様および／または態様の範囲から逸脱することなく、様々な変更および改変を本明細書で行い得ることに留意されたい。さらに、説明した態様および／または態様の要素は、単数形で説明または請求されていることがあるが、単数形への限定が明示的に述べられていない限り、複数形が企図される。さらに、態様および／または態様の全部または一部は、別段に記載されていない限り、他の態様および／または態様の全部または一部とともに利用され得る。
【図１】
2014530566.tif 000003
【図２】
2014530566.tif 000004
【図３】
2014530566.tif 000005
【図４】
2014530566.tif 000006
【図５】
2014530566.tif 000007
【図６】
2014530566.tif 000008
【手続補正書】
【提出日】平成26年5月28日(2014.5.28)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）において、第１の無線アクセスネットワーク（ＲＡＮ）中の呼が終了したという指示を受信することと、
前記第１のＲＡＮ中の前記呼が終了したという前記指示を受信したことに応答して、前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
を備える、ワイヤレス通信のための方法。
【請求項２】
前記１つまたは複数のアクションをとることは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
を備える、請求項１に記載の方法。
【請求項３】
前記１つまたは複数のアクションをとることが、
前記第１のＲＡＮから前記要求の肯定応答を受信すること
をさらに備え、
前記セル選択プロシージャを実行することが、前記第１のＲＡＮから前記要求の前記肯定応答を受信したことに応答して前記セル選択プロシージャを実行することを含む、請求項２に記載の方法。
【請求項４】
前記１つまたは複数のアクションをとることが、
前記第１のＲＡＮから、前記ＵＥとの前記接続が解放されたという指示を受信すること
をさらに備え、
前記セル選択プロシージャを実行することが、前記第１のＲＡＮから、前記ＵＥとの前記接続が解放されたという前記指示を受信したことに応答して前記セル選択プロシージャを実行することを含む、請求項２に記載の方法。
【請求項５】
前記１つまたは複数のアクションをとることが、
設定可能なタイマーが満了したことを判断すること
をさらに備え、
前記セル選択プロシージャを実行することが、前記設定可能なタイマーの満了に応答して前記セル選択プロシージャを実行することを含む、請求項２に記載の方法。
【請求項６】
設定可能なタイムは、前記ＵＥとの接続を解放するようにとの前記要求が前記第１のＲＡＮに送られたときに開始される、請求項５に記載の方法。
【請求項７】
前記第１のＲＡＮへの、前記ＵＥとの前記接続を解放するようにとの前記要求がシグナリング接続解放指示（ＳＣＲＩ）メッセージを含む、請求項２に記載の方法。
【請求項８】
前記第１のＲＡＮが、第２世代（２Ｇ）ＲＡＮまたは第３世代（３Ｇ）ＲＡＮのうちの少なくとも１つを備える、請求項１に記載の方法。
【請求項９】
前記第２のＲＡＮがＬｏｎｇ−Ｔｅｒｍ  Ｅｖｏｌｕｔｉｏｎ  ＲＡＮを備える、請求項１に記載の方法。
【請求項１０】
前記１つまたは複数のアクションをとることは、
前記第２のＲＡＮをサポートするセルを選択するためにセル選択プロシージャを実行することと、
前記ＵＥが、前記第２のＲＡＮの前記選択されたセルに接続することと
を備える、請求項１に記載の方法。
【請求項１１】
前記ＵＥが、前記第１のＲＡＮ中の前記呼をとるために前記第２のＲＡＮ中のサービスを離れたことを判断することは、回線交換フォールバックインジケータビットが前記ＵＥ上でセットされたことを判断することを含む、請求項１に記載の方法。
【請求項１２】
前記第１の無線アクセスネットワーク（ＲＡＮ）中の前記呼が終了したという前記指示が無線ベアラ解放メッセージを含む、請求項１に記載の方法。
【請求項１３】
前記呼が回線交換呼である、請求項１に記載の方法。
【請求項１４】
ＵＥにおいて、第１の無線アクセスネットワーク（ＲＡＮ）中の呼が終了したという指示を受信するための手段と、
前記第１のＲＡＮ中の前記呼が終了したという前記指示を受信したことに応答して、前記ＵＥが、前記第１のＲＡＮ中の前記呼を確立するために第２のＲＡＮ中のサービスを離れたことを判断するための手段と、
前記判断に応答して、前記ＵＥが、前記第２のＲＡＮに自律的に戻るために１つまたは複数のアクションをとるための手段と
を備える、ワイヤレス通信のための装置。
【請求項１５】
前記１つまたは複数のアクションをとるための前記手段は、
前記ＵＥとの接続を解放するようにとの要求を前記第１のＲＡＮに送るための手段と、
前記第２のＲＡＮのセルを選択するためにセル選択プロシージャを実行するための手段と、
前記ＵＥが、前記第２のＲＡＮの前記選択されたセルに接続するための手段と
を備える、請求項１４に記載の装置。
【請求項１６】
前記１つまたは複数のアクションをとるための前記手段が、
前記第１のＲＡＮから前記要求の肯定応答を受信するための手段
をさらに備え、
前記セル選択プロシージャを実行するための前記手段が、前記第１のＲＡＮから前記要求の前記肯定応答を受信したことに応答して前記セル選択プロシージャを実行するための手段を含む、請求項１５に記載の装置。
【請求項１７】
前記１つまたは複数のアクションをとるための前記手段が、
前記第１のＲＡＮから、前記ＵＥとの前記接続が解放されたという指示を受信するための手段
をさらに備え、
前記セル選択プロシージャを実行するための前記手段が、前記第１のＲＡＮから、前記ＵＥとの前記接続が解放されたという前記指示を受信したことに応答して前記セル選択プロシージャを実行するための手段を含む、請求項１５に記載の装置。
【請求項１８】
前記１つまたは複数のアクションをとるための前記手段が、
設定可能なタイマーが満了したことを判断するための手段
をさらに備え、
前記セル選択プロシージャを実行するための前記手段が、前記設定可能なタイマーの満了に応答して前記セル選択プロシージャを実行するための手段を含む、請求項１５に記載の装置。
【請求項１９】
設定可能なタイムは、前記ＵＥとの接続を解放するようにとの前記要求が前記第１のＲＡＮに送られたときに開始される、請求項１８に記載の装置。
【請求項２０】
前記第１のＲＡＮへの、前記ＵＥとの前記接続を解放するようにとの前記要求がシグナリング接続解放指示（ＳＣＲＩ）メッセージを含む、請求項１５に記載の装置。
【請求項２１】
前記第１のＲＡＮが、第２世代（２Ｇ）ＲＡＮまたは第３世代（３Ｇ）ＲＡＮのうちの少なくとも１つを備える、請求項１４に記載の装置。
【請求項２２】
前記第２のＲＡＮがＬｏｎｇ−Ｔｅｒｍ  Ｅｖｏｌｕｔｉｏｎ  ＲＡＮを備える、請求項１４に記載の装置。
【請求項２３】
前記１つまたは複数のアクションをとるための前記手段は、
前記第２のＲＡＮをサポートするセルを選択するためにセル選択プロシージャを実行するための手段と、
前記ＵＥが、前記第２のＲＡＮの前記選択されたセルに接続するための手段と
を備える、請求項１４に記載の装置。
【請求項２４】
前記ＵＥが、前記第１のＲＡＮ中の前記呼を確立するために前記第２のＲＡＮ中のサービスを離れたことを判断するための前記手段は、回線交換フォールバックインジケータビットが前記ＵＥ上でセットされたことを判断するための手段を含む、請求項１４に記載の装置。
【請求項２５】
前記第１の無線アクセスネットワーク（ＲＡＮ）中の前記呼が終了したという前記指示が無線ベアラ解放メッセージを含む、請求項１４に記載の装置。
【請求項２６】
前記呼が回線交換呼である、請求項１４に記載の装置。
【請求項２７】
ＵＥにおいて、第１の無線アクセスネットワーク（ＲＡＮ）中の呼が終了したという指示を受信することと、
前記第１のＲＡＮ中の前記呼が終了したという前記指示を受信したことに応答して、前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
を行うように構成された少なくとも１つのプロセッサと、
前記少なくとも１つのプロセッサに結合されたメモリと
を備える、ワイヤレス通信のための装置。
【請求項２８】
前記少なくとも１つのプロセッサは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
によって前記１つまたは複数のアクションをとるように構成された、請求項２７に記載の装置。
【請求項２９】
前記少なくとも１つのプロセッサが、
前記第１のＲＡＮから前記要求の肯定応答を受信すること
によって前記１つまたは複数のアクションをとるように構成され、
前記セル選択プロシージャを実行することが、前記第１のＲＡＮから前記要求の前記肯定応答を受信したことに応答して前記セル選択プロシージャを実行することを含む、請求項２８に記載の装置。
【請求項３０】
前記少なくとも１つのプロセッサが、
前記第１のＲＡＮから、前記ＵＥとの前記接続が解放されたという指示を受信すること
によって前記１つまたは複数のアクションをとるように構成され、
前記セル選択プロシージャを実行することが、前記第１のＲＡＮから、前記ＵＥとの前記接続が解放されたという前記指示を受信したことに応答して前記セル選択プロシージャを実行することを含む、請求項２８に記載の装置。
【請求項３１】
前記少なくとも１つのプロセッサが、
設定可能なタイマーが満了したことを判断すること
によって前記１つまたは複数のアクションをとるように構成され、
前記セル選択プロシージャを実行することが、前記設定可能なタイマーの満了に応答して前記セル選択プロシージャを実行することを含む、請求項２８に記載の装置。
【請求項３２】
設定可能なタイムは、前記ＵＥとの接続を解放するようにとの前記要求が前記第１のＲＡＮに送られたときに開始される、請求項３１に記載の装置。
【請求項３３】
前記第１のＲＡＮへの、前記ＵＥとの前記接続を解放するようにとの前記要求がシグナリング接続解放指示（ＳＣＲＩ）メッセージを含む、請求項２８に記載の装置。
【請求項３４】
前記第１のＲＡＮが、第２世代（２Ｇ）ＲＡＮまたは第３世代（３Ｇ）ＲＡＮのうちの少なくとも１つを備える、請求項２７に記載の装置。
【請求項３５】
前記第２のＲＡＮがＬｏｎｇ−Ｔｅｒｍ  Ｅｖｏｌｕｔｉｏｎ  ＲＡＮを備える、請求項２７に記載の装置。
【請求項３６】
前記少なくとも１つのプロセッサは、
前記第２のＲＡＮをサポートするセルを選択するためにセル選択プロシージャを実行することと、
前記ＵＥが、前記第２のＲＡＮの前記選択されたセルに接続することと
によって前記１つまたは複数のアクションをとるように構成された、請求項２７に記載の装置。
【請求項３７】
前記少なくとも１つのプロセッサは、回線交換フォールバックインジケータビットが前記ＵＥ上でセットされたことを判断することによって、前記ＵＥが、前記第１のＲＡＮ中の前記呼をとるために前記第２のＲＡＮ中のサービスを離れたことを判断するように構成された、請求項２７に記載の装置。
【請求項３８】
前記第１の無線アクセスネットワーク（ＲＡＮ）中の前記呼が終了したという前記指示が無線ベアラ解放メッセージを含む、請求項２７に記載の装置。
【請求項３９】
前記呼が回線交換呼である、請求項２７に記載の装置。
【請求項４０】
ＵＥにおいて、第１の無線アクセスネットワーク（ＲＡＮ）中の呼が終了したという指示を受信することと、
前記第１のＲＡＮ中の前記呼が終了したという前記指示を受信したことに応答して、前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
のためのコードを備えるコンピュータ可読媒体
を備える、ワイヤレス通信のためのコンピュータプログラム製品。
【請求項４１】
前記１つまたは複数のアクションをとることは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
を備える、請求項４０に記載のコンピュータプログラム製品。
【請求項４２】
前記１つまたは複数のアクションをとることが、
前記第１のＲＡＮから前記要求の肯定応答を受信すること
をさらに備え、
前記セル選択プロシージャを実行することが、前記第１のＲＡＮから前記要求の前記肯定応答を受信したことに応答して前記セル選択プロシージャを実行することを含む、請求項４１に記載のコンピュータプログラム製品。
【請求項４３】
前記１つまたは複数のアクションをとることが、
前記第１のＲＡＮから、前記ＵＥとの前記接続が解放されたという指示を受信すること
をさらに備え、
前記セル選択プロシージャを実行することが、前記第１のＲＡＮから、前記ＵＥとの前記接続が解放されたという前記指示を受信したことに応答して前記セル選択プロシージャを実行することを含む、請求項４１に記載のコンピュータプログラム製品。
【請求項４４】
前記１つまたは複数のアクションをとることが、
設定可能なタイマーが満了したことを判断すること
をさらに備え、
前記セル選択プロシージャを実行することが、前記設定可能なタイマーの満了に応答して前記セル選択プロシージャを実行することを含む、請求項４１に記載のコンピュータプログラム製品。
【請求項４５】
設定可能なタイムは、前記ＵＥとの接続を解放するようにとの前記要求が前記第１のＲＡＮに送られたときに開始される、請求項４４に記載のコンピュータプログラム製品。
【請求項４６】
前記第１のＲＡＮへの、前記ＵＥとの前記接続を解放するようにとの前記要求がシグナリング接続解放指示（ＳＣＲＩ）メッセージを含む、請求項４１に記載のコンピュータプログラム製品。
【請求項４７】
前記第１のＲＡＮが、第２世代（２Ｇ）ＲＡＮまたは第３世代（３Ｇ）ＲＡＮのうちの少なくとも１つを備える、請求項４０に記載のコンピュータプログラム製品。
【請求項４８】
前記第２のＲＡＮがＬｏｎｇ−Ｔｅｒｍ  Ｅｖｏｌｕｔｉｏｎ  ＲＡＮを備える、請求項４０に記載のコンピュータプログラム製品。
【請求項４９】
前記１つまたは複数のアクションをとることは、
前記第２のＲＡＮをサポートするセルを選択するためにセル選択プロシージャを実行することと、
前記ＵＥが、前記第２のＲＡＮの前記選択されたセルに接続することと
を備える、請求項４０に記載のコンピュータプログラム製品。
【請求項５０】
前記ＵＥが、前記第１のＲＡＮ中の前記呼を確立するために前記第２のＲＡＮ中のサービスを離れたことを判断することは、回線交換フォールバックインジケータビットが前記ＵＥ上でセットされたことを判断することを含む、請求項４０に記載のコンピュータプログラム製品。
【請求項５１】
前記第１の無線アクセスネットワーク（ＲＡＮ）中の前記呼が終了したという前記指示が無線ベアラ解放メッセージを含む、請求項４０に記載のコンピュータプログラム製品。
【請求項５２】
前記呼が回線交換呼である、請求項４０に記載のコンピュータプログラム製品。
【手続補正２】
【補正対象書類名】明細書
【補正対象項目名】００７１
【補正方法】変更
【補正の内容】
【００７１】
[0073]  上記の開示は、例示的な態様および／または態様について論じたが、添付の特許請求の範囲によって定義される説明した態様および／または態様の範囲から逸脱することなく、様々な変更および改変を本明細書で行い得ることに留意されたい。さらに、説明した態様および／または態様の要素は、単数形で説明または請求されていることがあるが、単数形への限定が明示的に述べられていない限り、複数形が企図される。さらに、態様および／または態様の全部または一部は、別段に記載されていない限り、他の態様および／または態様の全部または一部とともに利用され得る。
以下に、本願出願の当初の特許請求の範囲に記載された発明を付記する。
［Ｃ１］
ユーザ機器（ＵＥ）において、第１の無線アクセスネットワーク（ＲＡＮ）中の呼が終了したという指示を受信することと、
前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
を備える、ワイヤレス通信のための方法。
［Ｃ２］
前記１つまたは複数のアクションをとることは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
を備える、Ｃ１に記載の方法。
［Ｃ３］
前記１つまたは複数のアクションをとることが、
前記第１のＲＡＮから前記要求の肯定応答を受信すること
をさらに備え、
前記セル選択プロシージャを実行することが、前記第１のＲＡＮから前記要求の前記肯定応答を受信したことに応答して前記セル選択プロシージャを実行することを含む、Ｃ２に記載の方法。
［Ｃ４］
前記１つまたは複数のアクションをとることが、
前記第１のＲＡＮから、前記ＵＥとの前記接続が解放されたという指示を受信すること
をさらに備え、
前記セル選択プロシージャを実行することが、前記第１のＲＡＮから、前記ＵＥとの前記接続が解放されたという前記指示を受信したことに応答して前記セル選択プロシージャを実行することを含む、Ｃ２に記載の方法。
［Ｃ５］
前記１つまたは複数のアクションをとることが、
設定可能なタイマーが満了したことを判断すること
をさらに備え、
前記セル選択プロシージャを実行することが、前記設定可能なタイマーの満了に応答して前記セル選択プロシージャを実行することを含む、Ｃ２に記載の方法。
［Ｃ６］
前記設定可能なタイムは、前記ＵＥとの接続を解放するようにとの前記要求が前記第１のＲＡＮに送られたときに開始される、Ｃ５に記載の方法。
［Ｃ７］
前記第１のＲＡＮへの、前記ＵＥとの前記接続を解放するようにとの前記要求がシグナリング接続解放指示（ＳＣＲＩ）メッセージを含む、Ｃ２に記載の方法。
［Ｃ８］
前記第１のＲＡＮが、第２世代（２Ｇ）ＲＡＮまたは第３世代（３Ｇ）ＲＡＮのうちの少なくとも１つを備える、Ｃ１に記載の方法。
［Ｃ９］
前記第２のＲＡＮがＬｏｎｇ−Ｔｅｒｍ  Ｅｖｏｌｕｔｉｏｎ  ＲＡＮを備える、Ｃ１に記載の方法。
［Ｃ１０］
前記１つまたは複数のアクションをとることは、
前記第２のＲＡＮをサポートするセルを選択するためにセル選択プロシージャを実行することと、
前記ＵＥが、前記第２のＲＡＮの前記選択されたセルに接続することと
を備える、Ｃ１に記載の方法。
［Ｃ１１］
前記ＵＥが、前記第１のＲＡＮ中の前記呼をとるために前記第２のＲＡＮ中のサービスを離れたことを判断することは、回線交換フォールバックインジケータビットが前記ＵＥ上でセットされたことを判断することを含む、Ｃ１に記載の方法。
［Ｃ１２］
前記第１の無線アクセスネットワーク（ＲＡＮ）中の前記呼が終了したという前記指示が無線ベアラ解放メッセージを含む、Ｃ１に記載の方法。
［Ｃ１３］
前記呼が回線交換呼である、Ｃ１に記載の方法。
［Ｃ１４］
ＵＥにおいて、第１の無線アクセスネットワーク（ＲＡＮ）中の呼が終了したという指示を受信するための手段と、
前記ＵＥが、前記第１のＲＡＮ中の前記呼を確立するために第２のＲＡＮ中のサービスを離れたことを判断するための手段と、
前記判断に応答して、前記ＵＥが、前記第２のＲＡＮに自律的に戻るために１つまたは複数のアクションをとるための手段と
を備える、ワイヤレス通信のための装置。
［Ｃ１５］
前記１つまたは複数のアクションをとるための前記手段は、
前記ＵＥとの接続を解放するようにとの要求を前記第１のＲＡＮに送るための手段と、
前記第２のＲＡＮのセルを選択するためにセル選択プロシージャを実行するための手段と、
前記ＵＥが、前記第２のＲＡＮの前記選択されたセルに接続するための手段と
を備える、Ｃ１４に記載の装置。
［Ｃ１６］
前記１つまたは複数のアクションをとるための前記手段が、
前記第１のＲＡＮから前記要求の肯定応答を受信するための手段
をさらに備え、
前記セル選択プロシージャを実行するための前記手段が、前記第１のＲＡＮから前記要求の前記肯定応答を受信したことに応答して前記セル選択プロシージャを実行するための手段を含む、Ｃ１５に記載の装置。
［Ｃ１７］
前記１つまたは複数のアクションをとるための前記手段が、
前記第１のＲＡＮから、前記ＵＥとの前記接続が解放されたという指示を受信するための手段
をさらに備え、
前記セル選択プロシージャを実行するための前記手段が、前記第１のＲＡＮから、前記ＵＥとの前記接続が解放されたという前記指示を受信したことに応答して前記セル選択プロシージャを実行するための手段を含む、Ｃ１５に記載の装置。
［Ｃ１８］
前記１つまたは複数のアクションをとるための前記手段が、
設定可能なタイマーが満了したことを判断するための手段
をさらに備え、
前記セル選択プロシージャを実行するための前記手段が、前記設定可能なタイマーの満了に応答して前記セル選択プロシージャを実行するための手段を含む、Ｃ１５に記載の装置。
［Ｃ１９］
前記設定可能なタイマーは、前記ＵＥとの接続を解放するようにとの前記要求が前記第１のＲＡＮに送られたときに開始される、Ｃ１８に記載の装置。
［Ｃ２０］
前記第１のＲＡＮへの、前記ＵＥとの前記接続を解放するようにとの前記要求がシグナリング接続解放指示（ＳＣＲＩ）メッセージを含む、Ｃ１５に記載の装置。
［Ｃ２１］
前記第１のＲＡＮが、第２世代（２Ｇ）ＲＡＮまたは第３世代（３Ｇ）ＲＡＮのうちの少なくとも１つを備える、Ｃ１４に記載の装置。
［Ｃ２２］
前記第２のＲＡＮがＬｏｎｇ−Ｔｅｒｍ  Ｅｖｏｌｕｔｉｏｎ  ＲＡＮを備える、Ｃ１４に記載の装置。
［Ｃ２３］
前記１つまたは複数のアクションをとるための前記手段は、
前記第２のＲＡＮをサポートするセルを選択するためにセル選択プロシージャを実行するための手段と、
前記ＵＥが、前記第２のＲＡＮの前記選択されたセルに接続するための手段と
を備える、Ｃ１４に記載の装置。
［Ｃ２４］
前記ＵＥが、前記第１のＲＡＮ中の前記呼を確立するために前記第２のＲＡＮ中のサービスを離れたことを判断するための前記手段は、回線交換フォールバックインジケータビットが前記ＵＥ上でセットされたことを判断するための手段を含む、Ｃ１４に記載の装置。
［Ｃ２５］
前記第１の無線アクセスネットワーク（ＲＡＮ）中の前記呼が終了したという前記指示が無線ベアラ解放メッセージを含む、Ｃ１４に記載の装置。
［Ｃ２６］
前記呼が回線交換呼である、Ｃ１４に記載の装置。
［Ｃ２７］
ＵＥにおいて、第１の無線アクセスネットワーク（ＲＡＮ）中の呼が終了したという指示を受信することと、
前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
を行うように構成された少なくとも１つのプロセッサと、
前記少なくとも１つのプロセッサに結合されたメモリと
を備える、ワイヤレス通信のための装置。
［Ｃ２８］
前記少なくとも１つのプロセッサは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
によって前記１つまたは複数のアクションをとるように構成された、Ｃ２７に記載の装置。
［Ｃ２９］
前記少なくとも１つのプロセッサが、
前記第１のＲＡＮから前記要求の肯定応答を受信すること
によって前記１つまたは複数のアクションをとるように構成され、
前記セル選択プロシージャを実行することが、前記第１のＲＡＮから前記要求の前記肯定応答を受信したことに応答して前記セル選択プロシージャを実行することを含む、Ｃ２８に記載の装置。
［Ｃ３０］
前記少なくとも１つのプロセッサが、
前記第１のＲＡＮから、前記ＵＥとの前記接続が解放されたという指示を受信すること
によって前記１つまたは複数のアクションをとるように構成され、
前記セル選択プロシージャを実行することが、前記第１のＲＡＮから、前記ＵＥとの前記接続が解放されたという前記指示を受信したことに応答して前記セル選択プロシージャを実行することを含む、Ｃ２８に記載の装置。
［Ｃ３１］
前記少なくとも１つのプロセッサが、
設定可能なタイマーが満了したことを判断すること
によって前記１つまたは複数のアクションをとるように構成され、
前記セル選択プロシージャを実行することが、前記設定可能なタイムの満了に応答して前記セル選択プロシージャを実行することを含む、Ｃ２８に記載の装置。
［Ｃ３２］
前記設定可能なタイマーは、前記ＵＥとの接続を解放するようにとの前記要求が前記第１のＲＡＮに送られたときに開始される、Ｃ３１に記載の装置。
［Ｃ３３］
前記第１のＲＡＮへの、前記ＵＥとの前記接続を解放するようにとの前記要求がシグナリング接続解放指示（ＳＣＲＩ）メッセージを含む、Ｃ２８に記載の装置。
［Ｃ３４］
前記第１のＲＡＮが、第２世代（２Ｇ）ＲＡＮまたは第３世代（３Ｇ）ＲＡＮのうちの少なくとも１つを備える、Ｃ２７に記載の装置。
［Ｃ３５］
前記第２のＲＡＮがＬｏｎｇ−Ｔｅｒｍ  Ｅｖｏｌｕｔｉｏｎ  ＲＡＮを備える、Ｃ２７に記載の装置。
［Ｃ３６］
前記少なくとも１つのプロセッサは、
前記第２のＲＡＮをサポートするセルを選択するためにセル選択プロシージャを実行することと、
前記ＵＥが、前記第２のＲＡＮの前記選択されたセルに接続することと
によって前記１つまたは複数のアクションをとるように構成された、Ｃ２７に記載の装置。
［Ｃ３７］
前記少なくとも１つのプロセッサは、回線交換フォールバックインジケータビットが前記ＵＥ上でセットされたことを判断することによって、前記ＵＥが、前記第１のＲＡＮ中の前記呼をとるために前記第２のＲＡＮ中のサービスを離れたことを判断するように構成された、Ｃ２７に記載の装置。
［Ｃ３８］
前記第１の無線アクセスネットワーク（ＲＡＮ）中の前記呼が終了したという前記指示が無線ベアラ解放メッセージを含む、Ｃ２７に記載の装置。
［Ｃ３９］
前記呼が回線交換呼である、Ｃ２７に記載の装置。
［Ｃ４０］
ＵＥにおいて、第１の無線アクセスネットワーク（ＲＡＮ）中の呼が終了したという指示を受信することと、
前記ＵＥが、前記第１のＲＡＮ中の前記呼を確立するために第２のＲＡＮ中のサービスを離れたことを判断することと、
前記判断に応答して、前記ＵＥが、前記第２のＲＡＮに自律的に戻るために１つまたは複数のアクションをとることと
のためのコードを備えるコンピュータ可読媒体
を備える、ワイヤレス通信のためのコンピュータプログラム製品。
［Ｃ４１］
前記１つまたは複数のアクションをとることは、
前記ＵＥとの接続を解放するようにとの要求を前記第１のＲＡＮに送ることと、
前記第２のＲＡＮのセルを選択するためにセル選択プロシージャを実行することと、
前記ＵＥが、前記第２のＲＡＮの前記選択されたセルに接続することと
を備える、Ｃ４０に記載のコンピュータプログラム製品。
［Ｃ４２］
前記１つまたは複数のアクションをとることが、
前記第１のＲＡＮから前記要求の肯定応答を受信すること
をさらに備え、
前記セル選択プロシージャを実行することが、前記第１のＲＡＮから前記要求の前記肯定応答を受信したことに応答して前記セル選択プロシージャを実行することを含む、Ｃ４１に記載のコンピュータプログラム製品。
［Ｃ４３］
前記１つまたは複数のアクションをとることが、
前記第１のＲＡＮから、前記ＵＥとの前記接続が解放されたという指示を受信すること
をさらに備え、
前記セル選択プロシージャを実行することが、前記第１のＲＡＮから、前記ＵＥとの前記接続が解放されたという前記指示を受信したことに応答して前記セル選択プロシージャを実行することを含む、Ｃ４１に記載のコンピュータプログラム製品。
［Ｃ４４］
前記１つまたは複数のアクションをとることが、
設定可能なタイマーが満了したことを判断すること
をさらに備え、
前記セル選択プロシージャを実行することが、前記設定可能なタイムの満了に応答して前記セル選択プロシージャを実行することを含む、Ｃ４１に記載のコンピュータプログラム製品。
［Ｃ４５］
前記設定可能なタイマーは、前記ＵＥとの接続を解放するようにとの前記要求が前記第１のＲＡＮに送られたときに開始される、Ｃ４４に記載のコンピュータプログラム製品。
［Ｃ４６］
前記第１のＲＡＮへの、前記ＵＥとの前記接続を解放するようにとの前記要求がシグナリング接続解放指示（ＳＣＲＩ）メッセージを含む、Ｃ４１に記載のコンピュータプログラム製品。
［Ｃ４７］
前記第１のＲＡＮが、第２世代（２Ｇ）ＲＡＮまたは第３世代（３Ｇ）ＲＡＮのうちの少なくとも１つを備える、Ｃ４０に記載のコンピュータプログラム製品。
［Ｃ４８］
前記第２のＲＡＮがＬｏｎｇ−Ｔｅｒｍ  Ｅｖｏｌｕｔｉｏｎ  ＲＡＮを備える、Ｃ４０に記載のコンピュータプログラム製品。
［Ｃ４９］
前記１つまたは複数のアクションをとることは、
前記第２のＲＡＮをサポートするセルを選択するためにセル選択プロシージャを実行することと、
前記ＵＥが、前記第２のＲＡＮの前記選択されたセルに接続することと
を備える、Ｃ４０に記載のコンピュータプログラム製品。
［Ｃ５０］
前記ＵＥが、前記第１のＲＡＮ中の前記呼を確立するために前記第２のＲＡＮ中のサービスを離れたことを判断することは、回線交換フォールバックインジケータビットが前記ＵＥ上でセットされたことを判断することを含む、Ｃ４０に記載のコンピュータプログラム製品。
［Ｃ５１］
前記第１の無線アクセスネットワーク（ＲＡＮ）中の前記呼が終了したという前記指示が無線ベアラ解放メッセージを含む、Ｃ４０に記載のコンピュータプログラム製品。
［Ｃ５２］
前記呼が回線交換呼である、Ｃ４０に記載のコンピュータプログラム製品。
【国際調査報告】
2014530566.tif 000009
2014530566.tif 000010
2014530566.tif 000011